(57)【要約】【課題】電気配線と可動する部材とを近接して配置しながらも、当該電気配線と可動する部材との接触を避けることが可能な遊技機の可動役物装置を提供する。【解決手段】第一役物１１０と、第一役物１１０の外部に固定される第二役物１２０と、第一役物１１０の内部空間に配置され、所定の可動範囲だけ摺動可能な摺動部材１３０と、摺動部材１３０に連結され、摺動部材１３０の摺動に伴って移動可能な第三役物１４０と、第二役物１２０に接続されると共に、第一役物１１０の内部空間を通るように配置される電気配線１２１とを具備する遊技機１の可動役物装置１００であって、電気配線１２１が摺動部材１３０と接触しないように、第一役物１１０の内部空間を区分けする区分け壁１６０をさらに具備し、摺動部材１３０には、前記所定の可動範囲を摺動する際に区分け壁１６０との接触を避けるための切欠部１３３が形成される。【選択図】図８
2015042196.tif 000002
【特許請求の範囲】
【請求項１】
内部空間が形成される第一役物と、
前記第一役物の外部に固定される第二役物と、
前記第一役物の内部空間に配置され、当該内部空間を所定の可動範囲だけ摺動可能な摺動部材と、
前記摺動部材に連結された状態で前記第一役物の外部に配置され、前記摺動部材の摺動に伴って移動可能な第三役物と、
前記第二役物に接続されると共に、前記第一役物の内部空間を通るように配置される電気配線とを具備する遊技機の可動役物装置であって、
前記電気配線が前記摺動部材と接触しないように、前記第一役物の内部空間を区分けする区分け壁をさらに具備し、
前記摺動部材には、前記所定の可動範囲を摺動する際に前記区分け壁との接触を避けるための切欠部が形成される、
ことを特徴とする、遊技機の可動役物装置。
【発明の詳細な説明】
【技術分野】
【０００１】
本発明は、遊技機の可動役物装置の技術に関する。
【背景技術】
【０００２】
従来、遊技機の可動役物装置の技術は公知となっている。例えば、特許文献１に記載の如くである。
【０００３】
特許文献１に記載の遊技機は、略箱状に形成されると共に、前部に装飾体が設けられる支持部材（装飾支持体及び可動機構ケース）、及び前記支持部材に挿通され、当該支持部材を左右に摺動可能に案内するレールを具備する。また、前記支持部材にはＬＥＤが設けられ、前記装飾体に光を照射することができるように構成されている。
【０００４】
このように構成された遊技機においては、前記支持部材を左右に摺動させることで、前記装飾体を左右に移動させると共に、前記ＬＥＤから前記装飾体に光を照射することで、当該装飾体を発光させることができる。
【０００５】
このように、ＬＥＤ等の電子部品と可動する部材とが近接して設けられる場合には、当該電子部品に接続される電気配線の配置が困難である。
例えば特許文献１に記載の遊技機では、前記ＬＥＤに接続される電気配線と前記レールとが接触すると、当該電気配線の劣化や断線が発生するおそれがある。このため、電気配線と可動する部材とが接触しないように、電気配線を可動する部材から離して配置する等の工夫が必要であった。
【先行技術文献】
【特許文献】
【０００６】
【特許文献１】特開２０１３−１５８６２０号公報
【発明の概要】
【発明が解決しようとする課題】
【０００７】
本発明は以上の如き状況に鑑みてなされたものであり、その解決しようとする課題は、電気配線と可動する部材とを近接して配置しながらも、当該電気配線と可動する部材との接触を避けることが可能な遊技機の可動役物装置を提供することである。
【課題を解決するための手段】
【０００８】
本発明の解決しようとする課題は以上の如くであり、次にこの課題を解決するための手段を説明する。
【０００９】
即ち、請求項１においては、内部空間が形成される第一役物と、前記第一役物の外部に固定される第二役物と、前記第一役物の内部空間に配置され、当該内部空間を所定の可動範囲だけ摺動可能な摺動部材と、前記摺動部材に連結された状態で前記第一役物の外部に配置され、前記摺動部材の摺動に伴って移動可能な第三役物と、前記第二役物に接続されると共に、前記第一役物の内部空間を通るように配置される電気配線とを具備する遊技機の可動役物装置であって、前記電気配線が前記摺動部材と接触しないように、前記第一役物の内部空間を区分けする区分け壁をさらに具備し、前記摺動部材には、前記所定の可動範囲を摺動する際に前記区分け壁との接触を避けるための切欠部が形成されるものである。
【発明の効果】
【００１０】
本発明の効果として、以下に示すような効果を奏する。
【００１１】
請求項１においては、電気配線と可動する部材（摺動部材）とを近接して配置しながらも、当該電気配線と可動する部材との接触を避けることができる。
【図面の簡単な説明】
【００１２】
【図１】本発明の第一実施形態に係る遊技機の全体的な構成を示した正面図。
【図２】同じく、窓枠が開放された状態の構成を示した斜視図。
【図３】同じく、遊技盤の構成を示した正面図。
【図４】同じく、可動役物装置を示した下方斜視図。
【図５】同じく、上方斜視図。
【図６】同じく、下方分解斜視図。
【図７】同じく、上方分解斜視図。
【図８】同じく、正面図。
【図９】図８のＡ−Ａ断面模式図。
【図１０】図８のＢ−Ｂ矢視一部断面図。
【図１１】（ａ）摺動部材が反時計回りに摺動した状態の可動役物装置を示した正面図。（ｂ）摺動部材が時計回りに摺動した状態の可動役物装置を示した正面図。
【図１２】（ａ）摺動部材が反時計回りに摺動した状態における図８のＢ−Ｂ矢視一部断面図。（ｂ）摺動部材が時計回りに摺動した状態における図８のＢ−Ｂ矢視一部断面図。
【図１３】第二実施形態に係る可動役物装置を示した正面図。
【図１４】図１３のＣ−Ｃ断面模式図。
【図１５】第二実施形態に係る可動役物装置の摺動部材が上方に摺動した状態を示した正面図。
【図１６】図１５のＤ−Ｄ断面模式図。
【発明を実施するための形態】
【００１３】
まず、本発明に係る遊技機の第一実施形態に係る遊技機１（パチンコ遊技機）の全体的な構成について、図面を用いて説明する。
なお、以下の説明では、遊技機１を遊技者から見て、手前側を遊技機１の前側とし、奥側を遊技機１の後側として、前後方向を規定する。また、遊技機１を遊技者から見て、左手側を遊技機１の左側とし、右手側を遊技機１の右側として、左右方向を規定する。
【００１４】
遊技機１は、図１から図３が示すように、主として、外枠２と、中枠３と、窓枠４と、により構成される枠体に、各種の遊技部品が取り付けられて形成される。
【００１５】
外枠２は、遊技機１の外郭を成し、前後面が開口された略四角筒状に形成される枠体である。外枠２は、パチンコホール等の遊技場に設けられた台島に設置される。外枠２には、中枠３が設けられる。
【００１６】
中枠３は、前後面が開口された略四角筒状に形成される枠体である。中枠３は、外枠２の前側の開口部にヒンジ等の軸支部材を介して回動可能に支持される。中枠３には、窓枠４と、下皿ユニット５と、遊技盤６と、が設けられる。
【００１７】
窓枠４は、中央が開口された略平板状に形成される枠体である。窓枠４は、正面視で中枠３の下部を除く略全面に亘って配置される。窓枠４は、中枠３の前側の開口部にヒンジ部材を介して回動可能に支持される。窓枠４の中央には、正面視で略円形状の窓枠開口部７が形成される。窓枠開口部７は、透明板１９により被覆される。窓枠開口部７の下部には、発射前の遊技球が貯溜される上皿８が配設される。窓枠開口部７の左右上方には、スピーカ９がそれぞれ配設される。
【００１８】
下皿ユニット５は、中枠３の下部であって窓枠４の下方に取り付けられる。下皿ユニット５の中央には、上皿８から溢れた遊技球が貯溜される下皿１７が配設される。下皿ユニット５の右部であって下皿１７の右方には、発射ハンドル１８が配設される。発射ハンドル１８は、上皿８に貯溜された遊技球を発射可能に構成される。
【００１９】
遊技盤６は、遊技球が転動する領域である遊技領域２５が形成される部材である。遊技盤６は、窓枠４の後方であって、正面視で中枠３の下部を除く略全面に亘って配置される。遊技盤６は、中枠３に着脱可能に取り付けられる。なお、遊技盤６の遊技領域２５は、窓枠４の窓枠開口部７の後方に配置され、前方から透明板１９を介して視認可能に構成される。
【００２０】
次に、遊技盤６の構成について、図３を用いてさらに詳細に説明する。
【００２１】
遊技盤６は、遊技板１０と、ガイドレール１１と、センター役物１２と、図柄表示装置１３と、可変入賞装置１４と、大入賞装置１５と、アウト口１６と、可動役物装置１００等により構成される。
【００２２】
図３に示す遊技板１０は、四隅が適宜に切り欠かれた略平板状に形成される部材である。遊技板１０には、遊技盤６を構成する各種の遊技部品が取り付けられる。遊技板１０は、アクリル樹脂やポリカーボネート（ＰＣ）等の透過性を有する透明な部材によって形成される。
【００２３】
ガイドレール１１は、略円弧帯状に形成される部材である。ガイドレール１１は、遊技板１０に、前方へ向けて立ち上がり状に取り付けられる。ガイドレール１１は、正面視で略円形状を形成するように配置される。なお、遊技板１０においてガイドレール１１によって略円形状に形成された内側の領域が、遊技球が転動する領域である遊技領域２５として構成される。遊技領域２５内において、遊技板１０には図示せぬ遊技釘が植設される。発射ハンドル１８の回動操作によって遊技領域２５内に放出された遊技球は、前記遊技釘に衝突しながら当該遊技領域２５内を下方へ向けて落下（転動）する。
【００２４】
センター役物１２は、その外観により遊技板１０を装飾する部材である。センター役物１２は正面視で略環状であって、その中央にセンター開口部２７が前後方向に貫通して形成される。センター役物１２は、遊技板１０を前後方向に貫通するように当該遊技板１０の中央から上部に亘って形成される孔に前方から挿入され、ボルト等によって取り付けられる。
【００２５】
図柄表示装置１３は、前方を臨むように配設された液晶画面２６に図柄や数字等の変動（図柄遊技）を表示するように構成される装置である。図柄表示装置１３は、遊技板１０の後方に配置される。より詳細には、図柄表示装置１３の液晶画面２６が、遊技板１０に取り付けられたセンター役物１２のセンター開口部２７の後方に配置される。これによって、前方からセンター開口部２７を介して液晶画面２６に表示される図柄遊技を視認することができる。
【００２６】
可変入賞装置１４は、所定の作動条件に応じて左右一対の可動片２８が開閉作動し、始動入賞口１４ａに遊技球が入球（入賞）可能な開放状態と入球（入賞）不能な閉塞状態とに切り替え可能に構成される装置である。可変入賞装置１４は、遊技領域２５の中央下部であって図柄表示装置１３の下方に配置される。なお、可変入賞装置１４は、前記開放状態において始動入賞口１４ａに遊技球が入球（入賞）すると図示せぬ賞球払出装置によって所定数の遊技球（賞球）が払い出されるように構成される。
【００２７】
大入賞装置１５は、所定の大当たり抽選により大当たりが選択されると、大入賞口１５ａを開放して遊技球が入球（入賞）可能に構成される装置である。大入賞装置１５は、遊技領域２５の右部であって図柄表示装置１３の右下方に配置される。なお、大入賞装置１５は、開放した大入賞口１５ａに遊技球が入球すると図示せぬ賞球払出装置によって所定数の遊技球（賞球）が払い出されるように構成される。
【００２８】
アウト口１６は、遊技領域２５を転動する遊技球が、大入賞口１５ａや始動入賞口１４ａ等の各入賞口に入球（入賞）しなかった場合に、最終的に流入する開口部である。アウト口１６は、遊技領域２５の最下部に配置される。なお、アウト口１６に流入した遊技球は、遊技機１が設置されたパチンコホール等の遊技場側に回収される。
【００２９】
可動役物装置１００は、所定の演出動作を行うことにより、遊技者に視覚的な印象（インパクト）を与え、その遊技者の興趣を高めるものである。可動役物装置１００は、前後方向において、図柄表示装置１３（液晶画面２６）の前方かつセンター役物１２の後方に配置される。可動役物装置１００は、液晶画面２６の左下部の前方に配置される。
【００３０】
以下では、図４から図１０までを用いて、可動役物装置１００の構成について説明する。
なお、説明の便宜上、図８においては後述する第一役物１１０の円環装飾部材１１５及び駆動アーム１５０の図示を省略している。
【００３１】
可動役物装置１００は、主として第一役物１１０、第二役物１２０、摺動部材１３０、第三役物１４０、駆動アーム１５０及び区分け壁１６０を具備する。
【００３２】
図４から図８までに示す第一役物１１０は、主として円環状の物体を模した役物である。第一役物１１０は、主として第一役物本体１１１及び円環装飾部材１１５を具備する。
【００３３】
第一役物本体１１１は、第一役物１１０の主たる構造体となるものである。第一役物本体１１１は、主として円環部１１２及び延出部１１３を具備する。
【００３４】
図６から図８までに示す円環部１１２は、正面視において円環状に形成された部分である。円環部１１２は、主として外側面１１２ａ、背面１１２ｂ、第一開口部１１２ｃ及び第二開口部１１２ｄを具備する。
【００３５】
外側面１１２ａは、正面視において円環状となるように、前後方向に向けて立設された面である。
【００３６】
背面１１２ｂは、外側面１１２ａの後端部から、正面視において当該外側面１１２ａの内側へと所定幅だけ形成される面である。
【００３７】
第一開口部１１２ｃは、外側面１１２ａの内側と外側とを連通するように形成される。第一開口部１１２ｃは、正面視において外側面１１２ａの右上部を切り欠くことによって形成される。
【００３８】
図６に示す第二開口部１１２ｄは、外側面１１２ａの内側と外側とを連通するように形成される。第二開口部１１２ｄは、正面視において外側面１１２ａの左端部を貫通するように形成される。
【００３９】
図６から図８までに示す延出部１１３は、円環部１１２から左下方へ向かって延設される部分である。延出部１１３の右上端部は、円環部１１２（外側面１１２ａ）の左端部から下端部に亘る部分に一体的に接続される。
【００４０】
図６及び図７に示す円環装飾部材１１５は、第一役物本体１１１の円環部１１２を装飾する部材である。円環装飾部材１１５は、主として前面１１６及び内側面１１７を具備する。
【００４１】
前面１１６は、正面視において円環状となるように形成された板状の部分である。前面１１６には所定の装飾（絵柄や色彩等）が施される。
【００４２】
内側面１１７は、前面１１６の内側端部から後方に向けて立設された面である。
【００４３】
図６から図８までに示す第二役物１２０は、宝石の形状を模した役物である。第二役物１２０の内部には、図示せぬＬＥＤが設けられる。当該ＬＥＤを発光させることにより、第二役物１２０が模した宝石を発光させることができる。第二役物１２０は、円環装飾部材１１５の右上部に固定される。
【００４４】
第二役物１２０が固定された円環装飾部材１１５は、前方から第一役物本体１１１の円環部１１２に固定される。これによって、第一役物１１０には、第一役物本体１１１と円環装飾部材１１５とによって囲まれる内部空間が形成される。より具体的には、当該内部空間は、図９に示すように、円環部１１２の外側面１１２ａ及び背面１１２ｂ、並びに円環装飾部材１１５の前面１１６及び内側面１１７によって囲まれることで形成される。当該内部空間は、正面視において円環状となるように形成される。
【００４５】
また、図８に示すように、円環装飾部材１１５が円環部１１２に固定された場合には、第二役物１２０は、円環部１１２の第一開口部１１２ｃと対向する位置に配置される。当該第二役物１２０には、電気配線１２１が接続される。
【００４６】
電気配線１２１は、第二役物１２０（より詳細には、第二役物１２０が有するＬＥＤ等の電子部品）へと電力を供給するためのものである。電気配線１２１は、第一開口部１１２ｃを介して第一役物１１０の内部空間内へと案内される。当該電気配線１２１は、第一役物１１０の内部空間内の右上部から左端部に亘って配置される。さらに当該電気配線１２１は、第二開口部１１２ｄ（図６参照）を介して第一役物１１０の内部空間から外部（延出部１１３の背後）へと案内される。
【００４７】
図６から図８までに示す摺動部材１３０は、第一役物１１０の内部空間内を摺動する部材である。摺動部材１３０は、正面視において円環状となるように形成される。摺動部材１３０には、役物連結部１３１、アーム連結部１３２及び切欠部１３３が形成される。
【００４８】
図７及び図８に示す役物連結部１３１は、後述する第三役物１４０が連結される部分である。役物連結部１３１には、第三役物１４０を連結するためのネジが締結されるネジ穴が適宜形成される。役物連結部１３１は、正面視において摺動部材１３０の左下部に形成される。
【００４９】
図６から図８までに示すアーム連結部１３２は、後述する駆動アーム１５０が連結される部分である。アーム連結部１３２には、駆動アーム１５０を係合させるための貫通孔が適宜形成される。アーム連結部１３２は、正面視において摺動部材１３０の下部（役物連結部１３１のすぐ右隣）に形成される。
【００５０】
切欠部１３３は、摺動部材１３０の前端部を所定の範囲に亘って切り欠くことで形成される。具体的には、切欠部１３３は、摺動部材１３０の右上部から、左上部を通って左下部（役物連結部１３１のすぐ左隣）までの範囲を切り欠くことで形成される。
【００５１】
このような切欠部１３３を形成することによって、摺動部材１３０は前後方向幅が広い幅広部１３３ａと、前後方向幅が幅広部１３３ａよりも狭い幅狭部１３３ｂと、を有することになる。摺動部材１３０のうち、切欠部１３３が形成された部分が幅狭部１３３ｂとなるため、摺動部材１３０の概ね上半分（右上部から、左上部を通って左下部までの範囲）が幅狭部１３３ｂとなり、摺動部材１３０の概ね下半分（左下部から、右下部を通って右上部までの範囲）が幅広部１３３ａとなる。
【００５２】
摺動部材１３０は、第一役物１１０の内部空間内に配置される。正面視における摺動部材１３０の形状（円環状）は、第一役物１１０の内部空間の形状（円環状）と略同一となる。摺動部材１３０の外周面は、円環部１１２の外側面の内周面と摺動可能に接する。これによって、摺動部材１３０は第一役物１１０の内部空間内を円周方向に摺動可能となる。
【００５３】
図４から図８までに示す第三役物１４０は、所定の形状に形成された役物である。第三役物１４０は、第一役物本体１１１の延出部１１３の前方に配置される。第三役物１４０の右上端部は、第一役物本体１１１の円環部１１２と円環装飾部材１１５との隙間を介して、第一役物１１０の内部空間に配置された摺動部材１３０の役物連結部１３１と連結される。これによって、第三役物１４０は、摺動部材１３０の摺動に伴って第一役物１１０の円環装飾部材１１５に沿うように円周方向に移動可能となる。
【００５４】
図６から図７までに示す駆動アーム１５０は、摺動部材１３０を所定の可動範囲だけ摺動させるためのものである。駆動アーム１５０は板状の部材により形成される。駆動アーム１５０は、略上下方向に細長く形成される。駆動アーム１５０には、その上端部を前方に向かって折り曲げることによって連結部１５１が形成される。駆動アーム１５０の連結部１５１は、第一役物１１０の背後から、当該第一役物１１０の内部空間内に挿通される。当該連結部１５１は、摺動部材１３０のアーム連結部１３２に係合される。駆動アーム１５０の下端部は、略下方に向かって延設される。
【００５５】
摺動部材１３０に連結された駆動アーム１５０の下端部を、図示しないアクチュエータ等の駆動手段によって概ね左右方向に押し引きすることによって、摺動部材１３０を所定の可動範囲だけ摺動させることができる。より具体的には、駆動アーム１５０を押し引きすることによって、摺動部材１３０を図８に示す状態（第三役物１４０が左下方を向いた状態（図１１（ａ）参照））から、時計回りに約４５度摺動させた状態（第三役物１４０が左方を向いた状態（図１１（ｂ）参照））までの範囲で摺動させることができる。
【００５６】
図６から図８までに示す区分け壁１６０は、第一役物１１０の内部空間を区分けするためのものである。区分け壁１６０は、正面視において第一役物１１０の内部空間に沿うような円弧状になるように形成される。区分け壁１６０は、主として前面１６１及び内側面１６２を具備する。
【００５７】
前面１６１は、正面視において円弧状となるように形成された板状の部分である。
【００５８】
内側面１６２は、前面１６１の内側端部から後方に向けて立設された面である。内側面１６２の前後方向幅は、摺動部材１３０の幅広部１３３ａの前後方向幅よりも小さく、かつ幅狭部１３３ｂの前後方向幅よりも大きくなるように形成される（図９及び図１０参照）。
【００５９】
区分け壁１６０は、第一役物１１０の内部空間内に配置される。具体的には、区分け壁１６０は、第一役物１１０の内部空間の右上部（第一開口部１１２ｃと対向する部分）から左端部近傍（第二開口部１１２ｄの近傍）に亘るように配置される。
【００６０】
図９及び図１０に示すように、区分け壁１６０が配置された部分においては、第一役物１１０の内部空間が当該区分け壁１６０によって区分けされる。具体的には、第一役物１１０の内部空間は、区分け壁１６０の前面１６１及び内側面１６２、並びに円環部１１２の外側面１１２ａ及び背面１１２ｂによって囲まれた空間（以下、単に「摺動空間」と記す）と、それ以外の空間（以下、単に「配線空間」と記す）と、に区分けされる。
【００６１】
区分け壁１６０によって区分けされた摺動空間には、摺動部材１３０のうち幅狭部１３３ｂ部分が挿通される。
また、区分け壁１６０によって区分けされた配線空間には、第二役物１２０に接続された電気配線１２１が配置される。
【００６２】
以下では、図１１及び図１２を用いて、第三役物１４０が移動する際の第一役物１１０の内部空間内の様子について説明する。
【００６３】
図１１（ａ）及び図１２（ａ）に示すように、駆動アーム１５０（図４等参照）の下端部が前記アクチュエータによって右方へと回動されると、摺動部材１３０は第一役物１１０の内部空間内を正面視反時計回りに摺動する。当該摺動部材１３０の摺動に伴って、第三役物１４０は、第一役物１１０の円環装飾部材１１５の外周に沿って、当該円環装飾部材１１５の左下方へと移動する。
【００６４】
この際、摺動部材１３０の幅広部１３３ａは区分け壁１６０の一端部（第一開口部１１２ｃ側の端部）近傍まで近づくが、当該区分け壁１６０に接触することはない。また、摺動する摺動部材１３０と電気配線１２１とは区分け壁１６０によって区分けされているため、当該摺動部材１３０と電気配線１２１とが接触することもない。
【００６５】
図１１（ｂ）及び図１２（ｂ）に示すように、駆動アーム１５０（図４等参照）の下端部が前記アクチュエータによって左方へと回動されると、摺動部材１３０は第一役物１１０の内部空間内を正面視時計回りに摺動する。当該摺動部材１３０の摺動に伴って、第三役物１４０は、第一役物１１０の円環装飾部材１１５の外周に沿って、当該円環装飾部材１１５の左方へと移動する。
【００６６】
この際、摺動部材１３０の幅広部１３３ａは区分け壁１６０の他端部（第二開口部１１２ｄ側の端部）近傍まで近づくが、当該区分け壁１６０に接触することはない。また、摺動する摺動部材１３０と電気配線１２１とは区分け壁１６０によって区分けされているため、当該摺動部材１３０と電気配線１２１とが接触することもない。
【００６７】
このように、摺動部材１３０の切欠部１３３（幅狭部１３３ｂ）は、摺動部材１３０が所定の可動範囲だけ摺動する際に、区分け壁１６０と重複する部分に亘って形成されているため、当該摺動部材１３０と区分け壁１６０とが接触し、当該摺動部材１３０の摺動が阻害されることがない。
【００６８】
また、摺動部材１３０は、円環部１１２の外側面１１２ａによって摺動可能に支持されている。摺動部材１３０には重力が作用するため、特に摺動部材１３０の下部が、円環部１１２の外側面１１２ａの下部によって支持されることになる。本実施形態においては、摺動部材１３０の概ね下半分に幅広部１３３ａが形成されているため、当該摺動部材１３０を比較的広い面（幅狭部１３３ｂに比べて広い面）で支持することができる。これによって、摺動部材１３０のガタつきを抑制し、滑らかに摺動させることが可能となる。
【００６９】
以上の如く、本実施形態に係る遊技機１の可動役物装置１００は、内部空間が形成される第一役物１１０と、第一役物１１０の外部に固定される第二役物１２０と、第一役物１１０の内部空間に配置され、当該内部空間を所定の可動範囲だけ摺動可能な摺動部材１３０と、摺動部材１３０に連結された状態で第一役物１１０の外部に配置され、摺動部材１３０の摺動に伴って移動可能な第三役物１４０と、第二役物１２０に接続されると共に、第一役物１１０の内部空間を通るように配置される電気配線１２１とを具備する遊技機１の可動役物装置１００であって、電気配線１２１が摺動部材１３０と接触しないように、第一役物１１０の内部空間を区分けする区分け壁１６０をさらに具備し、摺動部材１３０には、前記所定の可動範囲を摺動する際に区分け壁１６０との接触を避けるための切欠部１３３が形成される、ことを特徴とするものである。
このように構成することにより、電気配線１２１と可動する部材（摺動部材１３０）とを近接して配置しながらも、当該電気配線１２１と摺動部材１３０との接触を避けることができる。
【００７０】
なお、本発明は、各役物（第一役物、第二役物及び第三役物）の形状や模様等を本実施形態に係る各役物（第一役物１１０、第二役物１２０及び第三役物１４０）に限定するものではない。
【００７１】
また、本発明は、区分け壁の形状を本実施形態に係る区分け壁１６０に限定するものではない。すなわち、区分け壁は、電気配線と摺動部材とが接触しないように第一役物の内部空間を区分けすることができるものであれば良い。
【００７２】
また、摺動部材１３０に形成される切欠部１３３は、当該摺動部材１３０が所定の可動範囲だけ摺動する際に区分け壁１６０との接触を避けることが可能な範囲で、かつ可能な限り小さい（狭い）範囲に形成することが望ましい。これによって、摺動部材１３０の幅広部１３３ａを可能な限り広範囲に形成することができ、ひいては摺動部材１３０のガタつきを抑制し易くすることができる。
【００７３】
また、本実施形態においては、摺動部材１３０は駆動アーム１５０を介してアクチュエータによって駆動される構成としたが、本発明に係る摺動部材の駆動機構を限定するものではない。例えば、摺動部材１３０にギアや駆動源となるモータを連結し、駆動させる構成とすることも可能である。
【００７４】
また、本実施形態においては、摺動部材１３０は約４５度の範囲で摺動可能な構成としたが、本発明はこれに限るものではなく、摺動部材の可動範囲（所定の可動範囲）は任意に設定することが可能である。
【００７５】
なお、上記第一実施形態においては、円環状に形成された第一役物１１０の内部空間内を、円環状に形成された摺動部材１３０が円周方向に摺動する可動役物装置１００を例示したが、本発明はこれに限るものではない。例えば、摺動部材は直線上を摺動するものであっても良い。以下では、第二実施形態として、摺動部材が直線上を摺動する可動役物装置２００の概要について説明する。
【００７６】
図１３及び図１４に示す可動役物装置２００は、主として第一役物２１０、第二役物２２０、摺動部材２３０、第三役物２４０及び区分け壁２６０を具備する。
【００７７】
第一役物２１０は、長手方向を上下方向に向けた略直方体箱状の役物である。第一役物２１０の前面には、適宜装飾（不図示）が施される。第一役物２１０の内部には空間（内部空間）が形成される。第一役物２１０には、第一開口部２１２ｃ及び第二開口部２１２ｄが形成される。
【００７８】
第一開口部２１２ｃは、第一役物２１０の前面の略中央に、当該第一役物２１０の内部と外部とを連通するように形成される。
【００７９】
第二開口部２１２ｄは、第一役物２１０の左側面の下部に、当該第一役物２１０の内部と外部とを連通するように形成される。
【００８０】
第二役物２２０は、前面に所定の装飾（本実施形態においては、「Ａ」の文字）が施された役物である。第二役物２２０の内部には、図示せぬＬＥＤが設けられる。当該ＬＥＤを発光させることにより、第二役物２２０の装飾を発光させることができる。第二役物２２０は、第一役物の前面の略中央（正面視において、第一開口部２１２ｃと重複する位置）に固定される。第二役物２２０には、電気配線２２１が接続される。
【００８１】
電気配線２２１は、第一開口部２１２ｃを介して第一役物２１０の内部空間内へと案内される。当該電気配線２２１は、第一役物２１０の内部空間内の上下略中央部から下部に亘って配置される。さらに当該電気配線２２１は、第二開口部２１２ｄを介して第一役物２１０の内部空間から外部へと案内される。
【００８２】
摺動部材２３０は、第一役物２１０の内部空間内を摺動する部材である。摺動部材２３０は、長手方向を上下方向に向けた略直方体状に形成される。摺動部材２３０には、切欠部２３３が形成される。
【００８３】
切欠部２３３は、摺動部材２３０の前端部を所定の範囲に亘って切り欠くことで形成される。具体的には、切欠部２３３は、摺動部材２３０の上下中途部から下端部までの範囲を切り欠くことで形成される。
【００８４】
このような切欠部２３３を形成することによって、摺動部材２３０は前後方向幅が広い幅広部２３３ａと、前後方向幅が幅広部２３３ａよりも狭い幅狭部２３３ｂと、を有することになる。
【００８５】
摺動部材２３０は、第一役物２１０の内部空間内に配置される。摺動部材２３０は、第一役物２１０の内部空間内を、当該第一役物２１０の内側面や図示せぬ案内部材に沿って、上下方向に摺動可能となるように配置される。摺動部材２３０は、図示しないアクチュエータ等の駆動手段によって、上下方向に摺動される。
【００８６】
第三役物２４０は、前面に所定の装飾（本実施形態においては、「Ｂ」及び「Ｃ」の文字）が施された役物である。第三役物２４０は、第一役物１１０のすぐ右方に配置される。第三役物２４０は、第一役物１１０の右側面に形成された図示せぬ開口部を介して、摺動部材２３０に連結される。これによって、第三役物２４０は、摺動部材２３０の摺動に伴って第一役物２１０の長手方向（上下方向）に沿うように移動可能となる。
【００８７】
区分け壁２６０は、第一役物２１０の内部空間を区分けするためのものである。区分け壁２６０は、板面を前後方向に向けた平板状に形成される。区分け壁２６０は、第一役物２１０の内部空間の上下中途部（第一開口部２１２ｃと対向する部分）から下端部近傍（第二開口部２１２ｄの近傍）に亘るように配置される。
【００８８】
区分け壁２６０が配置された部分においては、第一役物２１０の内部空間が当該区分け壁２６０によって区分けされる。具体的には、第一役物２１０の内部空間は、区分け壁２６０の後方の空間（以下、単に「摺動空間」と記す）と、前方の空間（以下、単に「配線空間」と記す）と、に区分けされる。
【００８９】
区分け壁２６０によって区分けされた摺動空間には、摺動部材２３０のうち幅狭部２３３ｂが挿通される。
また、区分け壁２６０によって区分けされた配線空間には、第二役物２２０に接続された電気配線２２１が配置される。
【００９０】
このように構成された可動役物装置２００において、図１３及び図１４に示すように、摺動部材２３０が第一役物２１０の内部空間内を下方に摺動すると、当該摺動部材２３０の摺動に伴って、第三役物２４０も下方へと移動する。
【００９１】
また、図１５及び図１６に示すように、摺動部材２３０が第一役物２１０の内部空間内を上方に摺動すると、当該摺動部材２３０の摺動に伴って、第三役物２４０も上方へと移動する。
【００９２】
このように、摺動部材２３０が上下に摺動しても、電気配線２２１が配置された配線空間と摺動部材２３０（特に、幅狭部２３３ｂ）が配置された摺動空間とは、区分け壁２６０によって区分けされているため、当該電気配線２２１と摺動部材２３０とが接触することはない。
【００９３】
また摺動部材２３０の切欠部２３３（幅狭部２３３ｂ）は、摺動部材２３０が所定の可動範囲だけ摺動する際に、区分け壁２６０と重複する部分に亘って形成されているため、当該摺動部材２３０と区分け壁２６０とが接触し、当該摺動部材２３０の摺動が阻害されることがない。
【００９４】
なお、上記実施形態においては、本発明に係る遊技機の実施の一形態としてパチンコ遊技機を例示したが、本発明はこれに限るものではなく、スロットマシン等であっても良い。
【符号の説明】
【００９５】
１：遊技機，１００：可動役物装置，１１０：第一役物，１２０：第二役物，１２１：電気配線，１３０：摺動部材，１４０：第三役物，１６０：電気配線
【図１】
2015042196.tif 000003
【図２】
2015042196.tif 000004
【図３】
2015042196.tif 000005
【図４】
2015042196.tif 000006
【図５】
2015042196.tif 000007
【図６】
2015042196.tif 000008
【図７】
2015042196.tif 000009
【図８】
2015042196.tif 000010
【図９】
2015042196.tif 000011
【図１０】
2015042196.tif 000012
【図１１】
2015042196.tif 000013
【図１２】
2015042196.tif 000014
【図１３】
2015042196.tif 000015
【図１４】
2015042196.tif 000016
【図１５】
2015042196.tif 000017
【図１６】
2015042196.tif 000018